(57)【特許請求の範囲】
【請求項１】
編込網と、前記編込網の上、下、左、右側の順で囲むように設けられている上囲い縄と、下囲い縄と、左合わせ網と、右合わせ網とを含む漁網本体を備えた漁網であって、
前記編込網は、長手方向の中間位置における中間網部分と前記上囲い縄と前記下囲い縄との中間に設けられている仕切り縄と、前記上囲い縄と前記仕切り縄との間に編み込まれて且つ互いに横向きに並列している複数の上網目領域と、前記下囲い縄と前記仕切り縄との間に編み込まれて且つ互いに横向きに並列している複数の下網目領域とを有し、
各々の前記上網目領域は複数の第１の菱形網目を有し、各々の前記下網目領域は複数の第２の菱形網目を有しており、前記複数の第１の菱形網目及び前記複数の第２の菱形網目は前記仕切り縄を基準として互いに反対向きに配列され、且つ前記複数の上網目領域の前記第１の菱形網目の寸法は前記左合わせ網及び前記右合わせ網から中間部分方向に向かって徐々に減少し、前記複数の下網目領域の前記第２の菱形網目の寸法は前記左合わせ網及び前記右合わせ網から中間部分方向に向かって徐々に減少し、
隣接している二つの前記上網目領域の間に第１の仕切り縄を有しており、前記第１の仕切り縄の一方側に位置している前記第１の菱形網目の縁部は他方の隣接している二つの前記第１の菱形網目の縁部で構成され、
各々の前記第１の仕切り縄は前記仕切り縄から前記上囲い縄まで前記中間網部分に徐々に近づく一つの傾斜線であることを特徴とする漁網。
【請求項２】
請求項１に記載の漁網において、
隣接している二つの前記下網目領域の間に第２の仕切り縄を有しており、前記第２の仕切り縄の一方側に位置している前記第２の菱形網目の縁部は他方の隣接している二つの前記第２の菱形網目の縁部で構成されていることを特徴とする漁網。
【請求項３】
請求項２に記載の漁網において、
各々の前記第２の仕切り縄は前記仕切り縄から前記下囲い縄まで前記中間網部分に徐々に近づく一つの傾斜線であることを特徴とする漁網。
【請求項４】
請求項１に記載の漁網において、
前記複数の第１の菱形網目及び前記複数の第２の菱形網目が、前記仕切り縄を基準として互いに対称に配列されていることを特徴とする漁網。
【請求項５】
請求項１に記載の漁網において、
前記上囲い縄が海面に浮く縄体とされ、前記下囲い縄が海中に沈む縄体とされることを特徴とする漁網。
【請求項６】
請求項５に記載の漁網において、
前記上囲い縄及び前記下囲い縄のいずれにも伸張性の低い縄体が採用されており、前記上囲い縄がプラスチック製縄であり、前記下囲い縄がナイロン製縄であることを特徴とする漁網。
【請求項７】
請求項６に記載の漁網において、
前記中間網部分が平面網又は袋網であることを特徴とする漁網。
【請求項８】
請求項１に記載の漁網において、
前記中間網部分の網目寸法が、各前記第１の菱形網目の寸法及び各前記第２の菱形網目の寸法未満であることを特徴とする漁網。
【発明の詳細な説明】
【技術分野】
【０００１】
本発明は、まき網、曳網等の魚捕獲用の漁網に関する。
【背景技術】
【０００２】
従来の漁網は、主に網糸からなる複数の網目からなり、しかも網目の寸法は捕獲対象魚類の寸法未満になっている。このため、漁船で漁網を曳きながら魚捕獲を行うとき、捕獲対象魚類が漁網に入り込むと網目から逃げ出しにくくなり、最後に網を回収することで漁網及び捕獲した魚群を船上に引き上げて、更に捕獲した魚群から捕獲対象魚類を仕分ける必要がある。
【発明の概要】
【発明が解決しようとする課題】
【０００３】
しかしながら、上述した漁網には以下のような欠点がある。漁網自体は嵩張り、重量も重いことから、網回収の作業中に、もし複数の網目を揃えて折り畳まれず、重ね合わされない場合には、漁網を畳み込むことができず、収納空間が大きくなり過ぎる等の問題が発生していた。このため、後続の魚捕獲又は漁網の整理に不利となり、長らく不満を招いていた。
【０００４】
本発明は、かかる点に鑑みてなされたものであり、漁網畳嵩を減らして、網回収のスムースさを向上することが可能な漁網を提供することを目的とする。
【課題を解決するための手段】
【０００５】
本発明は、上述の課題を解決するための手段を以下のように構成している。すなわち、本発明は、編込網と、前記編込網の上、下、左、右側の順で囲むように設けられている上囲い縄と、下囲い縄と、左合わせ網と、右合わせ網とを含む漁網本体を備えた漁網であって、前記編込網は、長手方向の中間位置における中間網部分と前記上囲い縄と前記下囲い縄との中間に設けられている仕切り縄と、前記上囲い縄と前記仕切り縄との間に編み込まれて且つ互いに横向きに並列している複数の上網目領域と、前記下囲い縄と前記仕切り縄との間に編み込まれて且つ互いに横向きに並列している複数の下網目領域とを有し、各々の前記上網目領域は複数の第１の菱形網目を有し、各々の前記下網目領域は複数の第２の菱形網目を有しており、前記複数の第１の菱形網目及び前記複数の第２の菱形網目は前記仕切り縄を基準として互いに反対向きに配列され、且つ前記複数の上網目領域の前記第１の菱形網目の寸法は前記左合わせ網及び前記右合わせ網から中間部分方向に向かって徐々に減少し、前記複数の下網目領域の前記第２の菱形網目の寸法は前記左合わせ網及び前記右合わせ網から中間部分方向に向かって徐々に減少し、隣接している二つの前記上網目領域の間に第１の仕切り縄を有しており、前記第１の仕切り縄の一方側に位置している前記第１の菱形網目の縁部は他方の隣接している二つの前記第１の菱形網目の縁部で構成され、各々の前記第１の仕切り縄は前記仕切り縄から前記上囲い縄まで前記中間網部分に徐々に近づく一つの傾斜線であることを特徴とする。
【０００６】
本発明において、隣接している二つの前記下網目領域の間に第２の仕切り縄を有しており、前記第２の仕切り縄の一方側に位置している前記第２の菱形網目の縁部は他方の隣接している二つの前記第２の菱形網目の縁部で構成されていることが好ましい。また、各々の前記第２の仕切り縄は前記仕切り縄から前記下囲い縄まで前記中間網部分に徐々に近づく一つの傾斜線であることが好ましい。また、前記複数の第１の菱形網目及び前記複数の第２の菱形網目が、前記仕切り縄を基準として互いに対称に配列されていることが好ましい。また、前記上囲い縄が海面に浮く縄体とされ、前記下囲い縄が海中に沈む縄体とされることが好ましい。また、前記上囲い縄及び前記下囲い縄のいずれにも伸張性の低い縄体が採用されており、前記上囲い縄がプラスチック製縄であり、前記下囲い縄がナイロン製縄であることが好ましい。また、前記中間網部分が平面網又は袋網であることが好ましい。また、前記中間網部分の網目寸法が、各前記第１の菱形網目の寸法及び各前記第２の菱形網目の寸法未満であることが好ましい。
【０００７】
上記構成によれば、複数の第１の菱形網目と複数の第２の菱形網目とが仕切り縄を基準として互いに反対方向に配列されているため、漁網本体を回収するとき、複数の第１の菱形網目と複数の第２の菱形網目とが編込網の中間に近接することで、漁網の網回収のスムースさを更に向上することができる。
【０００８】
上記構成によれば、各々の第１の仕切り縄は仕切り縄から上囲い縄まで中間網部分に徐々に近づく一つの傾斜線であり、各々の第２の仕切り縄は仕切り縄から下網目領域まで中間網部分に徐々に近づく傾斜線であることで、複数の上網目領域と複数の下網目領域とを回収する方向で中間網部分位置に向けて折り畳み回収するように案内して、漁網の網回収をよりスムースにすることができる。
【図面の簡単な説明】
【０００９】
【図１】本発明の実施形態に係る曳網の使用状態を示す概略図である。
【図２】本発明の実施形態に係る曳網の要部拡大図である。
【図３】本発明の実施形態に係る曳網の他の部分の要部拡大図である。
【図４】本発明の他の実施形態に係る曳網の使用状態を示す概略図である。
【発明を実施するための形態】
【００１０】
以下、本発明の実施の形態について、図面を参照して詳細に説明するが、図面は単に説明用に過ぎず、本発明を限定するためのものではない。
【００１１】
図１〜図３に示すように、本発明は漁網であって、まき網、曳網等に適用され、且つ主に漁船１００で漁網１０を曳いて魚群２００を捕獲するものである。この漁網（まき網、曳網等）１０は、主に漁網本体１を含む。
【００１２】
図１〜図３に示すように、漁網本体１は、複数の網縄（符号省略）を編み込んでなり、漁網本体１は、編込網２と、編込網２の上、下、左、右側の順で囲むように設けられている上囲い縄３と、下囲い縄４と、左合わせ網５と、右合わせ網６とを含み、編込網２の中間には中間網部分７を有している。編込網２は、更に上囲い縄３と下囲い縄４との中間に設けられている仕切り縄２１と、上囲い縄３と仕切り縄２１との間に編み込まれて且つ互いに横向きに並列している複数の上網目領域２２と、下囲い縄４と仕切り縄２１との間に編み込まれて且つ互いに横向きに並列している複数の下網目領域２３とを有する。
【００１３】
このうち、各々の上網目領域２２は複数の第１の菱形網目２２１を有し、各々の下網目領域２３は複数の第２の菱形網目２３１を有している。複数の第１の菱形網目２２１及び複数の第２の菱形網目２３１は、仕切り縄２１を基準として互いに反対向きに配列され、且つ複数の上網目領域２２の第１の菱形網目２２１の寸法は左合わせ網５と右合わせ網６から中間網部分７方向に向かって徐々に減少し、複数の下網目領域２３の第２の菱形網目２３１の寸法は左合わせ網５と右合わせ網６から中間網部分７方向に向かって徐々に減少している。
【００１４】
以下に詳細を説明する。図３に示すように、複数の第１の菱形網目２２１の編み込み方向と複数の第２の菱形網目２３１の編み込み方向とは反対向きであり、且つ複数の上網目領域２２と複数の下網目領域２３が仕切られる数量と位置は同じであるため、複数の第１の菱形網目２２１及び複数の第２の菱形網目２３１は仕切り縄２１を基準として互いに反対方向及び対称に配列されている。
【００１５】
また、本実施形態では、隣接している二つの上網目領域２２の第１の菱形網目２２１、隣接している二つの下網目領域２３の第２の菱形網目２３１の寸法は以下のように変化する。隣接している二つの上網目領域２２の間に第１の仕切り縄２４を有しており、第１の仕切り縄２４の一方側に位置している第１の菱形網目２２１の縁部は他方の隣接している二つの第１の菱形網目２２１の縁部で構成されている。隣接している二つの下網目領域２３の間に第２の仕切り縄２５を有しており、第２の仕切り縄２５の一方側に位置している第２の菱形網目２３１の縁部は他方側の隣接している二つの第２の菱形網目２３１の縁部により構成されている。
【００１６】
更に、各々の第１の仕切り縄２４は仕切り縄２１から上囲い縄３まで中間網部分７に徐々に近づく一つの傾斜線であり、各々の第２の仕切り縄２５は仕切り縄２１から下網目領域２３まで中間網部分７に徐々に近づく傾斜線である。
【００１７】
また、各第１の菱形網目２２１の寸法及び各第２の菱形網目２３１の寸法は０．９ｍ〜３０ｍの間である。中間網部分７の網目寸法は、各第１の菱形網目２２１の寸法及び各第２の菱形網目２３１の寸法未満であって、魚群２００を捕獲するときには主に中間網部分７に集中することから、中間網部分７の網目寸法は魚群２００が網目から逃げ出さないように小さくなっている。
【００１８】
図１に示すように、上囲い縄３は海面に浮く縄体を採用することができ、本実施形態ではプラスチック製縄を例として説明するが、これに限定されない。このうち、上囲い縄３を海面に浮かせやすくするために、上囲い縄３は漁網本体１の上縁部に結合されている。
【００１９】
図１に示すように、下囲い縄４は海中に沈む縄体を採用することができ、本実施形態ではナイロン製縄を例として説明するが、これに限定されない。このうち、下囲い縄４を海中に沈ませやすくするために、下囲い縄４は漁網本体１の下縁部に結合されており、しかも魚群２００を捕獲しやすくするために、上囲い縄３に対して漁網本体１を相対的に開放することができる。このうち、上囲い縄３及び下囲い縄４には伸張性の低い縄体を採用して、これにより漁網本体１が変形しないように規制することができる。
【００２０】
図１〜図３に示すように、本実施形態の漁網１０の使用状態は、複数の第１の菱形網目２２１と複数の第２の菱形網目２３１とを用いていることから、自身の菱形形状に引っ張り力が作用すると折り畳まれ、重ね合わされるため、漁網本体１を回収するとき、複数の第１の菱形網目２２１と複数の第２の菱形網目２３１とが自動的に折り畳まれて、重ね合わされることで、漁網畳嵩を減らして、及び網回収のスムースさを向上するという効果を達成できる。
【００２１】
また、複数の第１の菱形網目２２１と複数の第２の菱形網目２３１とが仕切り縄２１を基準として互いに反対方向に配列され、且つ仕切り縄２１は上囲い縄３と下囲い縄４との中間に位置しているため、漁網本体１を回収するとき、複数の第１の菱形網目２２１と複数の第２の菱形網目２３１とが編込網２の中間（仕切り縄２１）に近接することで、力作用が不均一となって一方にずれるという不具合の発生を回避し、漁網１０の網回収のスムースさを更に向上することができる。
【００２２】
更に、各々の第１の仕切り縄２４は仕切り縄２１から上囲い縄３まで中間網部分７に徐々に近づく一つの傾斜線であり、各々の第２の仕切り縄２５は仕切り縄２１から下囲い縄４まで中間網部分７に徐々に近づく傾斜線であることで、複数の上網目領域２２と複数の下網目領域２３とを回収する方向（左合わせ網５と右合わせ網６から中間網部分７までを回収する）で中間網部分７位置に向けて折り畳み回収するように案内して、漁網１０の網回収をよりスムースにすることができる。
【００２３】
また、漁網本体１を回収するとき、魚群２００はまず編込網２の中間位置に集まって、編込網２の中間の空間が不足するに至ると網目から逃げ出すことから、複数の上網目領域２２の第１の菱形網目２２１の寸法は左合わせ網５と右合わせ網６から中間網部分７に方向に向かって徐々に減少し、複数の下網目領域２３の第２の菱形網目２３１の寸法は左合わせ網５と右合わせ網６から中間網部分７に向かって徐々に小さくなることで、編込網２の網目は両側が大きく、中間が小さくなっており、全部の網目が小さい漁網と比べて、本実施形態の漁網１０は低コストで、軽重量で、コンパクトであるという長所を備える。
【００２４】
図４には、本発明の漁網１０の他の実施形態を示しており、図４に示す漁網１０は、図１〜図３に示す漁網１０と略同様の構成になっている。図４の漁網１０と、図１〜図３の漁網１０との相違点は、中間網部分７の構造である。
【００２５】
図１〜図３の漁網１０では、中間網部分７は平面網であるが、これに限定されることなく、図４の漁網１０のように、中間網部分７は袋網としてもよい。
【００２６】
今回開示した実施の形態はすべての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内でのすべての変更が含まれる。
【符号の説明】
【００２７】
１０    漁網
１    漁網本体
２    編込網
２１    仕切り縄
２２    上網目領域
２２１    第１の菱形網目
２３    下網目領域
２３１    第２の菱形網目
２４    第１の仕切り縄
２５    第２の仕切り縄
３    上囲み縄
４    下囲み縄
５    左合わせ網
６    右合わせ網
７    中間網部分
１００    漁船
２００    魚群
【要約】      （修正有）【課題】漁網畳嵩を減らして、網回収のスムースさを向上することが可能な漁網を提供する。【解決手段】漁網１０において、漁網本体１は、編込網２と、上囲い縄３と、下囲い縄４と、左合わせ網５と、右合わせ網６とを含み、編込網２は、仕切り縄２１と、複数の上網目領域２２と、複数の下網目領域２３とを有する。上網目領域２２は複数の第１の菱形網目２２１を有し、下網目領域２３は複数の第２の菱形網目２３１を有する。複数の第１の菱形網目２２１及び複数の第２の菱形網目２３１は、仕切り縄２１を基準として互いに反対向きに配列され、且つ複数の上網目領域２２の第１の菱形網目２２１の寸法は左合わせ網５と右合わせ網６から中間部分方向に向かって徐々に減少し、複数の下網目領域２３の第２の菱形網目２３１の寸法は左合わせ網５と右合わせ網６から中間部分方向に向かって徐々に減少する。【選択図】図１【図１】
0006869566.tif 000002
【図２】
0006869566.tif 000003
【図３】
0006869566.tif 000004
【図４】
0006869566.tif 000005